(57)【要約】      （修正有）【課題】本発明の目的は、アース電極を差し込めないレセプタクルに差し込むことができる光伝送路差込プラグを提供することにある。【解決手段】アース電極を差し込めないレセプタクルと対向する正面部と、正面部から突出する差込部および光伝送路と、光伝送路を正面部に伏せる手段と、を有し、差込部をレセプタクルに差し込めることを特徴とする。【選択図】図１
2020038382.tif 000002
【特許請求の範囲】
【請求項１】
アース電極を差し込めないレセプタクルと対向する正面部と、前記正面部から突出する差込部および光伝送路と、前記光伝送路を前記正面部に伏せる手段と、を有し、前記差込部を前記レセプタクルに差し込めることを特徴とする光伝送路差込プラグ。
【請求項２】
請求項１に記載の光伝送路差込プラグを備えることを特徴とするケーブル。
【発明の詳細な説明】
【技術分野】
【０００１】
本発明は、光伝送路差込プラグに関する。
【背景技術】
【０００２】
従来、光コネクタが知られる。例えば、特許第４８６５８９８号公報に記載の技術は、凹状電極を備え、光伝送路を支持する支持部を備え、支持部が横側からの付勢手段により、第１所定位置に設定され、第２所定位置に移動可能となっていることを特徴とする商用電源用コンセントの技術が開示されている。
【先行技術文献】
【特許文献】
【０００３】
【特許文献１】特許第４８６５８９８号公報
【発明の概要】
【発明が解決しようとする課題】
【０００４】
ところで、上記従来の光コネクタは、アース電極を差し込めないレセプタクルに差し込むことができないと言った問題があった。
【０００５】
そこで、本発明の目的は、アース電極を差し込めないレセプタクルに差し込むことができる光伝送路差込プラグを提供することにある。
【課題を解決するための手段】
【０００６】
上記課題を解決するために本発明の光伝送路差込プラグは、アース電極を差し込めないレセプタクルと対向する正面部と、前記正面部から突出する差込部および光伝送路と、前記光伝送路を前記正面部に伏せる手段と、を有し、前記差込部を前記レセプタクルに差し込めることを特徴とする。
【発明の効果】
【０００７】
本発明によれば、光伝送路差込プラグは、アース電極を差し込めないレセプタクルに差し込むことができる。
【図面の簡単な説明】
【０００８】
【図１】実施形態の電気光プラグの構成図の一例である。
【発明を実施するための形態】
【０００９】
以下、本発明の一実施の形態について詳細に説明する。
【００１０】
図１は実施形態の電気光プラグの構成図の一例である。
例えば、電気光プラグ１は、２つの電力電極１２と１つのアース電極１３がプラグ正面１０から並行に突出し、アース電極１３が光ファイバなどの光伝送路１４を支持している（ａを参照のこと）。また、プラグ正面１０に可倒溝１１があり、アース電極１３を可倒溝１１内に倒して、アース電極１３をプラグ正面１０側に伏せた状態にすることが可能である（ｂを参照のこと）。また、レーザー光を吸収するとともに、可倒させたアース電極１３の内側に収まるように配置されたレーザー光遮蔽板１５が、該アース電極１３が支持する光伝送路１４の端面と対向するように可倒溝１１内に備わる。また、米国の電気コンセントの規格を満たす光コネクタに接続して光接続構造を形成するとともに、日本国内で普及しているアース電極を差し込めない２極の電気コンセントに接続することが容易である。また、他国や他地域の規格の電気コンセントに適応する構造に適宜変更することも可能である。アース電極１３は、支持軸によって電気光プラグ１に支持されており、支持軸にトーションばねを設けて、プラグ正面１０から突出した状態に付勢させてもよい。また、日本国内で流通している可倒式接地極を備えた電源プラグ（日動工業製）と同様の構造を備えてもよい。電力電極１２、アース電極１３および光伝送路１４は、光ファイバと電線を複合した電気光コード２を経由して情報処理装置３に接続されている。
【００１１】
例えば、図１の（ｂ）を構成する光通信システムは、その一例としてノート型パーソナルコンピュータが挙げられ、電気光プラグ１、電気光コード２、情報処理装置３、電源装置４から構成され、光接続を行う電気コンセントに電気光プラグ１を接続すると、商用電源が電気光プラグ１から電源装置４に供給され、電源装置４で商用電源が直流電源に変換されて情報処理装置３に供給されるとともに、電気光プラグ１と情報処理装置３間の電気光コード２の光ファイバにより光伝送路が形成されて情報処理装置３とネットワーク側間で光通信が可能となる。また、電源装置４に光信号と電気信号の変換部を設け、電源装置４と情報処理装置３間をLANケーブルなどで接続し情報処理装置３で通信を行わせる構成としてもよい。また、電源装置４が光信号および商用電源を分岐し、電気コンセントで光接続を行う少なくとも１つのコネクタを備えてテーブルタップなどの差込接続器を構成してもよい。また、電気光プラグ１に光接続を行う電気コンセントを複合させてもよい。電源装置４と情報処理装置３間の電気光コード２は、両端にコネクタを備えた構成が望ましい。電気光プラグ１は、電源装置４に複合してもよい。情報処理装置３および電源装置４は、電気光プラグ１側から電源が供給された場合に、ネットワーク側と光通信を確立するためにレーザー光を送信するが、所定の時間迄に該光通信が確立しなかった場合に、該レーザー光の送信を停止する構成が望ましい。また、ネットワーク側からレーザー光を受信した場合に、レーザー光を送信しネットワーク側と光通信を確立することとなる。
【符号の説明】
【００１２】
１…電気光プラグ，２…電気光コード，３…情報処理装置，４…電源装置，１０…プラグ正面，１１…可倒溝，１２…電力電極，１３…アース電極，１４…光伝送路，１５…レーザー光遮蔽板
【図１】
2020038382.tif 000003
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
レセプタクルと対向する正面部および前記正面部から突出して伸びる光伝送路を備え、
前記光伝送路を可倒させて前記光伝送路を前記正面部に収納可能な前記光伝送路のプラグを構成することを特徴とする可倒式光伝送路プラグ。
【請求項２】
請求項１に記載の可倒式光伝送路プラグを備えることを特徴とするケーブル。
【手続補正２】
【補正対象書類名】明細書
【補正対象項目名】０００６
【補正方法】変更
【補正の内容】
【０００６】
上記課題を解決するために本発明の可倒式光伝送路プラグは、レセプタクルと対向する正面部および前記正面部から突出して伸びる光伝送路を備え、前記光伝送路を可倒させて前記光伝送路を前記正面部に収納可能な前記光伝送路のプラグを構成することを特徴とする。
【手続補正３】
【補正対象書類名】明細書
【補正対象項目名】０００４
【補正方法】変更
【補正の内容】
【０００４】
ところで、上記従来の光コネクタは、光伝送路を可倒させて光伝送路を正面部に収納可能な光伝送路のプラグを構成することができないと言った問題があった。
【手続補正４】
【補正対象書類名】明細書
【補正対象項目名】０００５
【補正方法】変更
【補正の内容】
【０００５】
そこで、本発明の目的は、光伝送路を可倒させて光伝送路を正面部に収納可能な光伝送路のプラグを構成することができる可倒式光伝送路プラグを提供することにある。
【手続補正５】
【補正対象書類名】明細書
【補正対象項目名】０００７
【補正方法】変更
【補正の内容】
【０００７】
本発明によれば、可倒式光伝送路プラグは、光伝送路を可倒させて光伝送路を正面部に収納可能な光伝送路のプラグを構成することができる。
【手続補正７】
【補正対象書類名】明細書
【補正対象項目名】０００１
【補正方法】変更
【補正の内容】
【０００１】
本発明は、可倒式光伝送路プラグに関する。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
光伝送路を可倒させて正面部に収納しレセプタクルに接続する前記光伝送路のプラグを構成することを特徴とする可倒式光伝送路プラグ。
【請求項２】
請求項１に記載の可倒式光伝送路プラグを備えることを特徴とするケーブル。
【手続補正２】
【補正対象書類名】明細書
【補正対象項目名】０００６
【補正方法】変更
【補正の内容】
【０００６】
上記課題を解決するために本発明の可倒式光伝送路プラグは、光伝送路を可倒させて正面部に収納しレセプタクルに接続する前記光伝送路のプラグを構成することを特徴とする。
【手続補正３】
【補正対象書類名】明細書
【補正対象項目名】０００４
【補正方法】変更
【補正の内容】
【０００４】
ところで、上記従来技術は、光伝送路を可倒させて正面部に収納しレセプタクルに接続することができないと言った問題があった。
【手続補正４】
【補正対象書類名】明細書
【補正対象項目名】０００５
【補正方法】変更
【補正の内容】
【０００５】
そこで、本発明の目的は、光伝送路を可倒させて正面部に収納しレセプタクルに接続することができる可倒式光伝送路プラグを提供することにある。
【手続補正５】
【補正対象書類名】明細書
【補正対象項目名】０００７
【補正方法】変更
【補正の内容】
【０００７】
本発明によれば、可倒式光伝送路プラグは、光伝送路を可倒させて正面部に収納しレセプタクルに接続することができる。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
レセプタクルと対向する正面部と、
前記正面部から突出する光伝送路と、
前記光伝送路を可倒させ前記正面部に伏せさせる可倒手段と、
前記可倒手段により伏せさせた前記光伝送路を前記正面部に収納する収納手段と、
を備え、前記光伝送路のプラグを構成することを特徴とする可倒式光伝送路プラグ。
【請求項２】
請求項１に記載の可倒式光伝送路プラグを備えることを特徴とするケーブル。
【手続補正２】
【補正対象書類名】明細書
【補正対象項目名】０００６
【補正方法】変更
【補正の内容】
【０００６】
上記課題を解決するため本発明の可倒式光伝送路プラグは、レセプタクルと対向する正面部と、前記正面部から突出する光伝送路と、前記光伝送路を可倒させ前記正面部に伏せさせる可倒手段と、前記可倒手段により伏せさせた前記光伝送路を前記正面部に収納する収納手段と、を備え、前記光伝送路のプラグを構成することを特徴とする。
【手続補正３】
【補正対象書類名】明細書
【補正対象項目名】０００４
【補正方法】変更
【補正の内容】
【０００４】
ところで、上記従来技術は、光伝送路を可倒させ正面部に伏せさせ正面部に収納することができないと言った問題があった。
【手続補正４】
【補正対象書類名】明細書
【補正対象項目名】０００５
【補正方法】変更
【補正の内容】
【０００５】
そこで、本発明の目的は、光伝送路を可倒させ正面部に伏せさせ正面部に収納することができる可倒式光伝送路プラグを提供することにある。
【手続補正５】
【補正対象書類名】明細書
【補正対象項目名】０００７
【補正方法】変更
【補正の内容】
【０００７】
本発明によれば、可倒式光伝送路プラグは、光伝送路を可倒させ正面部に伏せさせ正面部に収納することができる。
【手続補正書】
【提出日】令和2年1月22日(2020.1.22)
【手続補正１】
【補正対象書類名】特許請求の範囲
【補正対象項目名】請求項１
【補正方法】変更
【補正の内容】
【請求項１】
レセプタクルと対向する正面部と、
前記正面部から突出する光伝送路と、
前記光伝送路を可倒させ前記正面部に伏せさせる可倒手段と、
前記可倒手段により伏せさせた前記光伝送路を前記正面部に収納する収納手段と、を備え、前記レセプタクルに接続させるプラグを構成することを特徴とする可倒式光伝送路プラグ。
【手続補正２】
【補正対象書類名】明細書
【補正対象項目名】０００６
【補正方法】変更
【補正の内容】
【０００６】
上記課題を解決するため本発明の可倒式光伝送路プラグは、レセプタクルと対向する正面部と、前記正面部から突出する光伝送路と、前記光伝送路を可倒させ前記正面部に伏せさせる可倒手段と、前記可倒手段により伏せさせた前記光伝送路を前記正面部に収納する収納手段と、を備え、前記レセプタクルに接続させるプラグを構成することを特徴とする。